(57)【要約】【課題】  使用部材を最少限に止め、レイアウト変更も楽で、構造簡単、組立作業にも有利で、しかも設備的にも廉価な形状可変テーブルの脚体構造を提供する。【解決手段】  回動中心用接続部材３１のワッシャー機能を有する外向鍔部３１ｃを挟む上側接続部３１ａと下側接続部３１ｂで上下脚構成部材１１、２１を同軸上に接続して、隣設するテーブル脚１、１の回動中心を正確に芯出しする。指挟み回避用距離Ｌを隔てて回動中心用接続部材３１を挟む上位脚構成部材１１、下位脚構成部材２１部分に左右の横桟２、２の片端側を固定して、出荷時や分解時に、あるテーブル脚１を中心に左右の横桟２、２が上下にオーバーラップするように折り畳まれても、上下関係になる横桟２、２間に指挟み回避用スペースＳを形成して、指が挟まれるのを避ける。【選択図】図２
2005230431.tif 000002
【特許請求の範囲】
【請求項１】
上位脚構成部材、下位脚構成部材を備えた各テーブル脚の隣設する各テーブル脚の上位脚構成部材、下位脚構成部材を各々横桟で接続すると共に隣設するテーブル脚の上位脚構成部材、下位脚構成部材両者間を回動可能に接続して、左右に位置する横桟で構成される平面角度を適宜変更することによって各テーブル脚をテーブルの平面視形状に対応させる形状可変テーブルの脚体構造において、各テーブル脚は、上位脚構成部材と、下位脚構成部材と、その上下脚構成部材間に介在される回動中心用接続部材と、下位脚構成部材に下端を固着した螺子部材と、上位脚構成部材上端で前記螺子部材に螺嵌されるナット部材とを備え、前記回動中心用接続部材は、上位脚構成部材の下端開放部及び下位脚構成部材の上端開放部に各々適合して嵌合する上側接続部、下側接続部各々を中間の外向鍔部を挟んで一体または一体的に有してなり、該回動中心用接続部材に前記螺子部材の挿通孔を開孔し、該挿通孔を挿通して上位脚構成部材から突出する前記螺子部材に前記ナット部材を螺嵌し、前記回動中心用接続部材を挟んで上位脚構成部材、下位脚構成部材部分に左右の横桟の片端側を固定していることを特徴とする形状可変テーブルの脚体構造。
【請求項２】
前記左右の横桟が指挟み回避用距離を隔てて固定されていることを特徴とする請求項１記載の形状可変テーブルの脚体構造。
【請求項３】
前記上位脚構成部材は、下端を開放する筒部材を使用し、下位脚構成部材は、上端を開放させてあることを特徴とする請求項１または２記載の形状可変テーブルの脚体構造。
【請求項４】
前記上位脚構成部材は、上端側内部に前記螺子部材の通孔を開孔した受け座を備え、前記ナット部材螺嵌時に該受け座に螺子部材回りに遊巻装されるコイルバネの上端を弾接させて、該コイルバネを該受け座と前記回動中心用接続部材との間に介在させていることを特徴とする請求項３記載の形状可変テーブルの脚体構造。
【請求項５】
前記回動中心用接続部材は、その上面に前記コイルバネを位置決めする位置決め部を一体もしくは一体的に有していることを特徴とする請求項４記載の形状可変テーブルの脚体構造。
【発明の詳細な説明】
【技術分野】
【０００１】
本発明は、テーブルの平面視形状に応じて各テーブル脚のレイアウトを適宜変更する形状可変テーブルの脚体構造に関するものである。
【背景技術】
【０００２】
従来、この種の形状可変テーブルの脚体構造は、上位脚構成部材、下位脚構成部材を備えた各テーブル脚の隣設する各テーブル脚の上位脚構成部材、下位脚構成部材を各々横桟で接続すると共に各テーブル脚の上位脚構成部材、下位脚構成部材両者間を回動可能に接続して、左右に位置する横桟で構成される平面角度を適宜変更することによって各テーブル脚をテーブルの平面視形状に対応させるようになっている（例えば、特許文献１参照）。
この先行技術の脚体構造における各テーブル脚１は、詳細には図４、図５に示すように、筒状の上位脚構成部材１１と、化粧板２１−１の上端に筒状の副構成部材２１−２を設けて形成された下位脚構成部材２１と、その下位脚構成部材２１に下端が固着された螺子部材２１ｃ−２と、上位脚構成部材１１内に前記螺子部材２１ｃ−２が貫通するように配置される回動中心体７１と、上位脚構成部材１１から上方に突出する螺子部材２１ｃ−２先端に螺嵌するナット部材５１と、その回動中心体７１内に配置され螺子部材２１ｃ−２に遊巻装されているコイルバネ４１と、上位脚構成部材１１、下位脚構成部材２１間に介在されるワッシャー８１と、上位脚構成部材１１、下位脚構成部材２１に片端側を固定した横桟２、２からなっている。
そして、前記回動中心体７１は、金属筒７１ａ下端に内外に向けて外向きフランジ７１ｂ、内向きフランジ７１ｃを周設した構成になっており、ナット部材５１の螺嵌時に上位脚構成部材１１と下位脚構成部材２１との間において外向きフランジ７１ｂの下位にワッシャー８１が介在され、内向きフランジ７１ｃは前記コイルバネ４１の受けとして使用するようになっている。
この先行技術は、前記ナット部材５１を緩めてコイルスプリング４１の上位脚構成部材１１との弾撥力を低減することによって、下位脚構成部材２１に対して上位脚構成部材１１が回動中心体７１を中心に回動して左右の横桟２、２で形成される平面視角度を適宜可変して、テーブル天板Ｂの平面視形状に応じることができるようになっている。
【０００３】
しかしながら、前記先行技術にあっては、螺子部材２１ｃ−２を挿通させる必要上、どうしてもクリアランスが生じ、これが隣設する上位脚構成部材１１、１１間において回動中心に微妙なズレを発生させ、レイアウトを適宜変更する際の回動操作を厄介なものにする。
しかも、ワッシャー８１と、筒状の回動中心体７１とを必要とするため、構造が複雑になり、下位脚構成部材２１から突出する螺子部材２１ｃ−２にワッシャー８１、コイルバネ４１、筒状の回動中心体７１を差し通した後、上位脚構成部材１１をセットし、最後にナット部材５１を螺嵌する手順での組付けになるため、組立手順も複雑である。
しかも、その回動中心体７１は、上位脚構成部材１１よりも若干短い長尺なもので、しかも下端に内外にフランジ７１ｂ、７１ｃを有する特殊に構造のものであり、その上、ワッシャー８１の載せ面確保のため、下位脚構成部材２１の上端開放部を溶接等を使用して蓋体９１で塞ぐ必要もあり、コストの高騰を招くばかりでなく、重量化の原因にもなり各テーブル脚１のレイアウト変更作業を面倒なものにする。
また、先行技術では、図示するように上位脚構成部材１１、副構成部材２１−２に片端部を固定した横桟２、２は、上位の横桟２の下面に対して下位の横桟２の上面が接近したレイアウトになっている。
そのため、出荷時や分解時のコンパクト化のために、あるテーブル脚１を中心に左右の横桟２、２が上下にオーバーラップするように折り畳まれる時がある。その際、その上下関係になる横桟２、２で指を挟むことがあり、危険でもあった。
【特許文献１】特開２００１−５７９１０号公報
【発明の開示】
【発明が解決しようとする課題】
【０００４】
本発明は上記従来事情に鑑みてなされたもので、その目的とする処は、使用部材を最少限に止めた上でレイアウト変更が楽に行なえ、しかも構造簡単、組立作業にも有利で、設備的にも廉価な形状可変テーブルの脚体構造を提供することにある。
他の目的とする処は、折り畳む時に指を挟むことがない安全な形状可変テーブルの脚体構造を提供することにある。
【課題を解決するための手段】
【０００５】
前記課題を解決するために講じた技術的手段は、上位脚構成部材、下位脚構成部材を備えた各テーブル脚の隣設する各テーブル脚の上位脚構成部材、下位脚構成部材を各々横桟で接続すると共に隣設するテーブル脚の上位脚構成部材、下位脚構成部材両者間を回動可能に接続して、左右に位置する横桟で構成される平面角度を適宜変更することによって各テーブル脚をテーブルの平面視形状に対応させる形状可変テーブルの脚体構造において、各テーブル脚は、上位脚構成部材と、下位脚構成部材と、その上下脚構成部材間に介在される回動中心用接続部材と、下位脚構成部材に下端を固着した螺子部材と、上位脚構成部材上端で前記螺子部材に螺嵌されるナット部材とを備え、前記回動中心用接続部材は、上位脚構成部材の下端開放部及び下位脚構成部材の上端開放部に各々適合して嵌合する上側接続部、下側接続部各々を中間の外向鍔部を挟んで一体または一体的に有してなり、該回動中心用接続部材に前記螺子部材の挿通孔を開孔し、該挿通孔を挿通して上位脚構成部材から突出する前記螺子部材に前記ナット部材を螺嵌し、前記回動中心用接続部材を挟んで上位脚構成部材、下位脚構成部材部分に左右の横桟の片端側を固定していることを特徴とする形状可変テーブルの脚体構造である（請求項１）。
ここで、前記回動中心用接続部材は、厚みを５〜１５ｍｍ程度とする扁平なものである。
【０００６】
以上の手段によれば、回動中心用接続部材が上下脚構成部材の開放端に嵌合して両脚構成部材を同軸上に接続して、隣設するテーブル脚間の回動中心を正確に芯出しする。
そして、その回動中心用接続部材の上下脚構成部材の開放部との密接嵌合力で横桟同士を平行状態に保持する。
また、その回動中心用接続部材中間の外向部材がワッシャー機能を奏する。
【０００７】
更に、前記左右の横桟が指挟み回避用距離を隔てて固定されていると好適なものである（請求項２）。
【０００８】
以上の手段によれば、出荷時や分解時に、あるテーブル脚を中心に左右の横桟が上下にオーバーラップするように折り畳まれても、その上下関係になる横桟間に指挟み回避用スペースを形成して、指が挟まれるのを防止する。
【０００９】
そして、上位脚構成部材は、下端を開放する筒部材を使用し、下位脚構成部材は、上端を開放させてあると、好適なものである（請求項３）。
【００１０】
以上の手段によれば、上位脚構成部材は上下を開放した筒体が主体であり、その主体に、加工を施して上位脚構成部材となるのであるが、前記回動中心用接続部材を使用するようにすると、上位脚構成部材は、下端は開放したままでの使用を可能にし、また下位脚構成部材は、上端を開放したままでの使用を可能にする。
【００１１】
また、上位脚構成部材は、上端側内部に前記螺子部材の通孔を開孔した受け座を備え、前記ナット部材螺嵌時に該受け座に螺子部材回りに遊巻装されるコイルバネの上端を弾接させて、該コイルバネを該受け座と前記回動中心用接続部材との間に介在していると、最適なものである（請求項４）
【００１２】
以上の手段によれば、コイルバネによる弾撥力で回動用中心用接続部材を安定させる。
【００１３】
そして、回動中心用接続部材は、その上面に前記コイルバネを位置決めする位置決め部を一体もしくは一体的に有していると、螺子部材に対するコイルバネの擦過を回避する上で有効なものである（請求項５）。
【発明の効果】
【００１４】
本発明は以上のように構成したから下記の利点がある。
（請求項１）上下脚構成部材の他に、上側接続部、下側接続部各々を中間の外向鍔部を挟んで一体または一体的に有する扁平な回動中心用接続部材と、螺子部材と、ナット部材とを備えたテーブル脚の集合体であるから、その回動中心用接続部材の作用で各テーブル脚を構成する上下脚構成部材は正確に同軸上となる。
そのため、隣設するテーブル脚間の回動中心を正確に芯出しでき、テーブル脚のレイアウト変更がスピーディーに行なえる。
しかも、下位脚構成部材に固着されている螺子部材をガイドにしてその回動中心用接続部の下側接続部を下位脚構成部材の開放部に密接嵌合してから、上位脚構成部材の上側接続部が下側開放部に密接されるように上位脚構成部材を嵌合し、螺子部材にナット部材を螺嵌すれば良く、従来のようにワッシャー、回動中心体の機能を扁平な回動中心用接続部材で担持し、組立作業が楽である。
その上、前記のように回動中心用接続部は、中間部に外向鍔部を有する扁平なもので良く、構造簡単であり、上位脚構成部材よりも若干短い長尺で下端に内外にフランジを有する特殊に構造の従来の回動中心体を使用する場合に比して、設備コストを低減させることができるばかりか、軽量化を図り、各テーブル脚のレイアウト作業を大幅に向上できる。
【００１５】
（請求項２）その回動中心用接続部材を挟んで上位脚構成部材、下位脚構成部材部分に指挟み回避用距離を隔てて左右の横桟の片端側を固定しているから、出荷時や分解時に、あるテーブル脚を中心に左右の横桟が上下関係となるように折り畳まれるようなことがあっても、その上下の横桟で指が挟まれず、工場作業者及び現場組付者双方において非常に安全である。
【００１６】
（請求項３）前記回動中心用接続部は、上下脚構成部材の下端開放部、上端開放部に嵌合されるものであるから、ワッシャーを載承するために下位脚構成部材の上端開放部を溶接等によって蓋体で閉塞する必要がなく、上下脚構成部材の製作コストを大幅に低減することができる。
【００１７】
（請求項４）しかも、コイルバネの弾撥力を有効利用して回動中心用接続部材をより安定できる。
【００１８】
（請求項５）その上、回動中心用接続部材は、その上面に前記コイルバネを位置決めする位置決め部を一体もしくは一体的に有しているので、螺子部材に対してコイルバネが擦れる度合いを少なくしてコイルバネの寿命の延命に寄与することができる。
【発明を実施するための最良の形態】
【００１９】
次に、本発明形状可変テーブルの脚体構造の実施の形態を図１〜図３に基づいて説明する。
【実施例１】
【００２０】
図１において、符号Ａはその脚体構造である。
該脚体構造Ａは、図１、図２等に示すように各テーブル脚１…、その各テーブル脚１…を接続する横桟２とを備え、各テーブル脚１…は、図２に示すように、上位脚構成部材１１、下位脚構成部材２１、回動中心用接続部材３１、コイルバネ４１、更には上位脚構成部材１１上位に設けられるナット部材５１等を備えている。
【００２１】
下位脚構成部材２１は、主構成部材２１−１と、その主構成部材２１−１の上端に接続される副構成部材２１−２とからなり、その主構成部材２１−１は、本実施の形態では下端に座を有する合成樹脂製（例えばＡＢＳ樹脂製）の化粧脚の上端からボス部２１ａ−１を突設し、その中心から同軸をもってボルト２１ｂ−１を突設して、形成されている。
【００２２】
副構成部材２１−２は、図２、図３に示すように、金属製の円筒体であり、内部下端寄りに中央に螺子孔２１ｂ−２を開孔した受け座２１ａ−２を溶接等の適宜手段で固着し、その上方に螺子部材（ボルト軸）２１ｃ−２の下端を固定する十字リブ２１ｄ−２を同様に溶接等の適宜手段で固着して形成され、上端は開放されている。
【００２３】
一方、上位脚構成部材１１は、図２、図３に示すように、前記副構成部材２１−２と同様に金属製の円筒体であり、その上端側内部に通孔１１ａ−１を開孔した受け座１１−１を溶接等の適宜手段で固定して形成され、下端は開放されている。
【００２４】
前記回動中心用接続部材３１は、図２、図３に示すように、ＡＢＳ等の合成樹脂材で製作されており、前記上位脚構成部材１１の下端開放部及び前記副構成部材２１−２の上端開放部に各々適合して嵌合する上側接続部３１ａ、下側接続部３１ｂを中間の外向鍔部（ワッシャー部）３１ｃを挟んで一体に有し、中央に前記螺子部材（ボルト軸）２１ｃ−２の挿通孔３１ｄを開孔している。
この回動中心用接続部材３１は内部中空でも中実なものでも良いものであり、挿通孔３１ｄに前記螺子部材（ボルト軸）２１ｃ−２を挿通するように下位脚構成部材２１の上位部材である前記副構成部材２１−２の上端開放部に下側接続部３１ｂを嵌合させた状態で、上側接続部３１ａに上位脚構成部材１１の下端開放部を嵌合させることによって、下位脚構成部材２１に対して上位脚構成部材１１を同軸上に接続できるようにしている。
【００２５】
前記コイルバネ４１は、図２、図３に示すように、前記回動中心用接続部材３１の上面に前記挿通孔３１ｄと同芯をもって一体に突設された円環状の位置決め部４１ａで螺子部材（ボルト軸）２１ｃ−２に接触しないように下端を位置決めされて、前記その接続部材３１上面に載承されるようになっている。
このコイルバネ４１は、前記のように回動中心用接続部材３１で上下脚構成部材１１を同軸上に接続した際、上端が螺子部材（ボルト軸）２１ｃ−２の先端よりも高い位置に位置する長さのものを使用する。
【００２６】
前記ナット部材５１は、図２、図３に示すように、前記回動中心用接続部材３１で上下脚構成部材１１、２１を同軸上に接続した際、前記挿通孔３１ｄから上方に突出する螺子部材（ボルト軸）２１ｃ−２の先端に螺嵌する筒状ナット部５１ａの側部を一体的に合成樹脂製の摘み体５１ｂでカバーして、形成されている。
【００２７】
また、ナット部材５１は、図２に示すように、摘み体５１ｂ及び筒状ナット部５１ａを側方から貫通して進退可能に螺嵌する止めネジ５１ｃを有し、テーブル天板Ｂに止着される取付座６１が掛止されるようになっている。
【００２８】
前記取付座６１は、前記ナット部材５１の上面に載置されて皿ネジ１００でテーブル天板Ｂに止着される円板体６１ａの中央部から前記筒状ナット部５１ａのナット孔５１ａ−１内に上方から進入する掛止用突起６１ｂを垂設し、その掛止用突起６１ｂに前記止めネジ５１ｃ先端が掛止することによって、テーブル天板Ｂに固定されるようになっている。
【００２９】
前記横桟２は、前記する回動中心用接続部材３１を挟む上位脚構成部材１１、副構成部材２１−２部分から指挟み回避用距離（高さ方向の距離）Ｌを隔てて左右の横桟２、２の片端側を固定して、隣設するテーブル脚１、１の上位脚構成部材１１、１１、副構成部材２１−２、２１−２間に亘って架設されている。
【００３０】
以上のように構成されている形状可変テーブルの脚体構造Ａは、その各テーブル脚１…、上位脚構成部材１１の下側開放部、下位脚構成部材２１の上側開放部に回動中心用接続部材３１の上側接続部３１ａ、下側接続部３１ｂでガタツクことなく密接嵌合して同軸上に上下脚構成部材１１、２１を接続する。
そのため、隣設するテーブル脚１、１間の回動中心は正確に芯出される。
また、下位脚構成部材２１に上位脚構成部材１１を同軸上に接続する際は、コイルバネ４１を圧縮するように上位脚構成部材１１を回動中心用構成部材３１の上側接続部３１ａに密接するように外嵌してから、上位脚構成部材１１の通孔１１ａ−１から突出する螺子部材（ボルト軸）２１ｃ−２の先端に前記ナット部材５１を螺嵌し、完全に締め込む前に左右に位置する横桟２、２で構成される平面角度を適宜変更して各テーブル脚１…の位置をテーブル天板Ｂに合わせてから、ナット部材５１を本締めし、テーブル天板Ｂの裏面に止着されている取付座６１の前記掛止用突起６１ｂをナット部材５１のナット孔５１ｃに上方から差し入れ、最後に止めネジ５１ｃをその掛止用突起６１ｂに掛止して、テーブル天板Ｂを安定して支持する。
【００３１】
また、脚体構造Ａを、図２に示すように化粧脚（主構成部材）２１−１を外した状態で左右の横桟２、２を上下にオーバーラップするように折り畳んだテーブル脚１数ブロックに分割して、出荷時や分解時の収納、梱包のためにコンパクト化する場合がある。図１（ａ）をもって説明すると、左右に位置するテーブル脚１、１の上位脚構成部材１１、１１と副構成部材２１−２、２1−２に対する接続を解除して、右側の上位脚構成部材１１直下に左側の副構成部材２１−２が位置するように中央のテーブル脚１を中心に回動させる場合がその一例である。
その際、左右の横桟２、２が上下に指挟み回避用距離Ｌを隔てて左右の横桟２、２の片端側を固定しているので、前記折り畳み時に上下の横桟間に指挟み回避用スペースＳを形成して、上下の横桟２、２での挟み込みが防止され、安全である。
【図面の簡単な説明】
【００３２】
【図１】本実施の形態形状可変テーブルの脚体構造を示し、（ａ）は、その正面図で一部切欠して示す。（ｂ）は、レイアウトを適宜変更されたテーブル脚の平面図で、８角形の状態を、（ｃ）は、３角形の状態を各々示している。
【図２】要部の拡大正面断面図で、左右の横桟を上下にオーバーラップさせた折り畳み状態を示す。
【図３】要部の分解斜視図。
【図４】従来例の要部の拡大正面断面図で、左右の横桟を上下にオーバーラップさせた折り畳み状態を示す。
【図５】同要部の分解斜視図。
【符号の説明】
【００３３】
Ａ：脚体構造                    １１：上位脚構成部材
２１：下位脚構成部材                ２：横桟
１：テーブル脚            ２１ｃ−２：螺子部材
３１：回動中心用接続部材            Ｓ：指挟み回避スペース
５１：ナット部材                ３１ａ：上側接続部
３１ｂ：下側接続部                ３１ｄ：挿通孔
１１−１：受け座                １１ａ−１：通孔
４１ａ：位置決め部                  ４１：コイルバネ
Ｌ：指挟み回避用距離
【図１】
2005230431.tif 000003
【図２】
2005230431.tif 000004
【図３】
2005230431.tif 000005
【図４】
2005230431.tif 000006
【図５】
2005230431.tif 000007